(57)【要約】【課題】間仕切壁を挟んで隣接する二室について、相互間における空気の流通により室内環境の好適化を図る。【解決手段】建物１０において第１室３１と第２室３２とは間仕切壁３０により仕切られている。間仕切壁３０において、一対の壁パネル間には通気通路４３が形成されている。一対の壁パネルにはそれぞれ、天井付近に開口する上開口部４４，４６と床付近に開口する下開口部４５，４７とが設けられており、第１室３１側の上開口部４４と第２室３２側の下開口部４７とが通気通路４３を介して連通される第１連通状態と、第１室３１側の下開口部４５と第２室３２側の上開口部４６とが通気通路４３を介して連通される第２連通状態との２状態について、いずれかの状態となるよう通気通路４３における通気経路が切り替えられるようになっている。【選択図】      図１
2012144881.tif 000002
【特許請求の範囲】
【請求項１】
建物内の屋内空間を第１室と第２室とに仕切る間仕切壁を備え、該間仕切壁を用いた通気システムであり、
前記間仕切壁は、
対向配置される一対の壁パネルを有し、該一対の壁パネルの間には上下方向に延びる壁内通路が形成されており、
前記一対の壁パネルにはそれぞれ、天井付近及び床付近に開口する天井側開口部と床側開口部とが設けられており、
前記第１室側の天井側開口部と前記第２室側の床側開口部とが前記壁内通路を介して連通される第１連通状態と、前記第１室側の床側開口部と前記第２室側の天井側開口部とが前記壁内通路を介して連通される第２連通状態との２状態について、いずれかの状態となるよう前記壁内通路における通気経路を切り替える通気経路切替手段と、
を備えることを特徴とする間仕切壁を用いた通気システム。
【請求項２】
前記間仕切壁は、前記壁内通路内に気流を生じさせる気流発生手段を備え、前記気流発生手段は、前記壁内通路内において上向きに気流を生じさせる状態と下向きに気流を生じさせる状態とを切替可能である請求項１に記載の間仕切壁を用いた通気システム。
【請求項３】
少なくとも前記第１室には、空調装置から供給される空調空気を吹き出す吹出口が設けられており、
前記第１室及び前記第２室のうち前記第１室だけで前記空調空気が吹き出されている空気吹出状態において、前記通気経路切替手段により前記第１連通状態と前記第２連通状態とのいずれかの状態への切替を行わせる切替制御を実施するとともに、前記気流発生手段により前記壁内通路内での気流の向きを制御する気流制御を実施する第１制御手段と、
同じく空気吹出状態において、前記第２室の出入口用の建具に設けられた通気開口を開閉するための通気開閉手段を制御する第２制御手段と、
を備える請求項２に記載の間仕切壁を用いた通気システム。
【請求項４】
前記建具には、前記通気開口として、上下に離間して上側通気開口と下側通気開口とが設けられており、
前記第１室において前記吹出口から空調空気として冷房用空気が吹き出されている場合に、前記第１制御手段は、前記第１室の天井側開口部から前記第２室の床側開口部への気流が発生するように前記切替制御と前記気流制御とを実施し、前記第２制御手段は、前記上側通気開口を開放、前記下側通気開口を閉鎖するよう前記通気開閉手段を制御する請求項３に記載の間仕切壁を用いた通気システム。
【請求項５】
前記壁内通路には、該壁内通路を通過する空気を冷却する冷却手段が設けられている請求項４に記載の間仕切壁を用いた通気システム。
【請求項６】
前記建具には、前記通気開口として、上下に離間して上側通気開口と下側通気開口とが設けられており、
前記第１室において前記吹出口から空調空気として暖房用空気が吹き出されている場合に、前記第１制御手段は、前記第１室の床側開口部から前記第２室の天井側開口部への気流が発生するように前記切替制御と前記気流制御とを実施し、前記第２制御手段は、前記上側通気開口を閉鎖、前記下側通気開口を開放するよう前記通気開閉手段を制御する請求項３乃至５のいずれか１項に記載の間仕切壁を用いた通気システム。
【請求項７】
前記壁内通路には、該壁内通路を通過する空気を加熱する加熱手段が設けられている請求項６に記載の間仕切壁を用いた通気システム。
【発明の詳細な説明】
【技術分野】
【０００１】
本発明は、間仕切壁を用いた通気システムに関するものである。
【背景技術】
【０００２】
住宅等の建物においては一般に複数の部屋が設けられており、それらは間仕切壁により仕切られている。この場合、間仕切壁を挟んで隣接する二室について、この間仕切壁に設けた開口部（窓部）を通じて相互間で空気の出し入れを行う技術がある（例えば、特許文献１参照）。また、間仕切壁を挟んだ両室で空気を出し入れする際にこれら両室での空調を行うことも検討されている。
【先行技術文献】
【特許文献】
【０００３】
【特許文献１】特開２０００−１２９８３７号公報
【発明の概要】
【発明が解決しようとする課題】
【０００４】
しかしながら、既存の技術では、間仕切壁の開口部（窓部）を通じて相互間で空気の出し入れが行われる場合に、その空気の出し入れが基本的に同じ高さ位置で行われるものとなっており、それは単に部屋内の床付近や天井付近の空気を、隣接する別の部屋の床付近や天井付近に横流ししているに過ぎない。そのため、仮に一方の部屋において床付近に比較的冷たい空気が溜まっており、部屋内空調の観点から望ましくない状況にあっても、それを解消することが困難なものとなっている。
【０００５】
本発明は、上記事情に鑑みてなされたものであり、間仕切壁を挟んで隣接する二室について、相互間における空気の流通により室内環境の好適化を図ることができる間仕切壁を用いた通気システムを提供することを主たる目的とするものである。
【課題を解決するための手段】
【０００６】
以下、上記課題を解決するのに有効な手段等につき、必要に応じて作用、効果等を示しつつ説明する。
【０００７】
第１の発明は、
建物内の屋内空間を第１室と第２室とに仕切る間仕切壁を備え、該間仕切壁を用いた通気システムであり、
前記間仕切壁は、
対向配置される一対の壁パネルを有し、該一対の壁パネルの間には上下方向に延びる壁内通路が形成されており、
前記一対の壁パネルにはそれぞれ、天井付近及び床付近に開口する天井側開口部と床側開口部とが設けられており、
前記第１室側の天井側開口部と前記第２室側の床側開口部とが前記壁内通路を介して連通される第１連通状態と、前記第１室側の床側開口部と前記第２室側の天井側開口部とが前記壁内通路を介して連通される第２連通状態との２状態について、いずれかの状態となるよう前記壁内通路における通気経路を切り替える通気経路切替手段と、
を備えることを特徴とする。
【０００８】
上記構成によれば、間仕切壁を通じて第１室と第２室との両室間の通気が可能となる。この場合特に、通気経路切替手段の操作により第１連通状態及び第２連通状態のいずれかの状態とすることにより、
一方の室の天井側開口部から他方の室の床側開口部への空気の流通、
一方の室の床側開口部から他方の室の天井側開口部への空気の流通、
のいずれかを行わせることが可能となる。かかる構成では、一方の室で天井付近に暖気が溜まっている場合に、その暖気を他方の室の床付近に送り出すことが可能となる。また、一方の室で床付近に冷気が溜まっている場合に、その冷気を他方の室の天井付近に送り出すことが可能となる。その結果、間仕切壁を挟んで隣接する二室について、相互間における空気の流通により室内環境の好適化を図ることができる。
【０００９】
第２の発明では、前記間仕切壁は、前記壁内通路内に気流を生じさせる気流発生手段を備え、前記気流発生手段は、前記壁内通路内において上向きに気流を生じさせる状態と下向きに気流を生じさせる状態とを切替可能である。
【００１０】
上記構成によれば、気流発生手段により、壁内通路内において上向き及び下向きのいずれかの気流を生じさせることができる。これにより、第１室と第２室との両室間の通気を積極的に実施できる。この場合、壁内通路内に強制的に上昇気流又は下降気流を生じさせることにより、壁内通路を通過させる空気が冷気（重い空気）か暖気（軽い空気）かにかかわらず、第１室と第２室との両室間での通気を任意に実施することができる。
【００１１】
第３の発明では、少なくとも前記第１室には、空調装置から供給される空調空気を吹き出す吹出口が設けられており、前記第１室及び前記第２室のうち前記第１室だけで前記空調空気が吹き出されている空気吹出状態において、前記通気経路切替手段により前記第１連通状態と前記第２連通状態とのいずれかの状態への切替を行わせる切替制御を実施するとともに、前記気流発生手段により前記壁内通路内での気流の向きを制御する気流制御を実施する第１制御手段と、同じく空気吹出状態において、前記第２室の出入口用の建具に設けられた通気開口を開閉するための通気開閉手段を制御する第２制御手段と、を備える。
【００１２】
要するに、第１室にのみ空調用の吹出口が設けられている場合や、第１室及び第２室の両方に空調用の吹出口が設けられているがそのうち第１室でのみ空調空気が吹き出される場合がある。このうち前者のような場合は、例えば、建物の改築により間仕切壁を増設し一室を二室に変更する場合に生じ得ると考えられる。こうした事態を想定すると、空調空気が吹き出されていない第２室について通気が好適に実施できないことが懸念される。この点、第３の発明では、第１室だけで吹出口から空調空気が吹き出されている空気吹出状態において、通気経路切替手段による切替制御と気流発生手段による気流制御とが実施されるとともに、吹出口から空調空気が吹き出されていない第２室の建具について通気開閉手段により通気開口が開閉される。かかる場合、第２室（空調空気の吹出が行われていない室）では、間仕切壁を介して第１室（空調空気が吹き出されている室）から空気が導入されるとともに、建具の通気開口を介して室内空気が室外に排出され、第１室→間仕切壁→第２室→建具の通気開口といった順序での空気の流れにより、第２室での通気を好適に実施できる。
【００１３】
第４の発明では、前記建具には、前記通気開口として、上下に離間して上側通気開口と下側通気開口とが設けられており、前記第１室において前記吹出口から空調空気として冷房用空気が吹き出されている場合に、前記第１制御手段は、前記第１室の天井側開口部から前記第２室の床側開口部への気流が発生するように前記切替制御と前記気流制御とを実施し、前記第２制御手段は、前記上側通気開口を開放、前記下側通気開口を閉鎖するよう前記通気開閉手段を制御する。
【００１４】
上記構成によれば、夏場等における第１室の冷房時において、第１室内の天井付近の比較的暖かい空気が間仕切壁を介して第２室に送出される。これにより、第１室において冷房を効率良く実施できる。また、第２室では、第２室内の空気が建具の上側通気開口を介して室外に排出されるため、第２室において暖気が溜まりにくくすることができる。かかる場合、第２室には第１室から順次空気が送られてくるため、第２室についての冷房も可能となる。
【００１５】
第５の発明では、前記壁内通路には、該壁内通路を通過する空気を冷却する冷却手段が設けられている。
【００１６】
上記構成によれば、壁内通路を空気が通過する際、その空気が冷却手段により冷却される。したがって、第１室の冷房時において、第１室側の天井側開口部から第２室側の床側開口部に流れる空気が比較的暖かい空気であっても、それを冷却した上で第２室に供給することができる。これは、第１室に加えて第２室を冷房する場合に有利な構成である。
【００１７】
第６の発明では、前記建具には、前記通気開口として、上下に離間して上側通気開口と下側通気開口とが設けられており、前記第１室において前記吹出口から空調空気として暖房用空気が吹き出されている場合に、前記第１制御手段は、前記第１室の床側開口部から前記第２室の天井側開口部への気流が発生するように前記切替制御と前記気流制御とを実施し、前記第２制御手段は、前記上側通気開口を閉鎖、前記下側通気開口を開放するよう前記通気開閉手段を制御する。
【００１８】
上記構成によれば、冬場等における第１室の暖房時において、第１室内の床付近の比較的冷たい空気が間仕切壁を介して第２室に送出される。これにより、第１室において暖房を効率良く実施できる。また、第２室では、第２室内の空気が建具の下側通気開口を介して室外に排出されるため、第２室において冷気が溜まりにくくすることができる。かかる場合、第２室には第１室から順次空気が送られてくるため、第２室についての暖房も可能となる。
【００１９】
第７の発明では、前記壁内通路には、該壁内通路を通過する空気を加熱する加熱手段が設けられている。
【００２０】
上記構成によれば、壁内通路を空気が通過する際、その空気が加熱手段により加熱される。したがって、第１室の暖房時において、第１室側の床側開口部から第２室側の天井側開口部に流れる空気が比較的冷たい空気であっても、それを加熱した上で第２室に供給することができる。これは、第１室に加えて第２室を暖房する場合に有利な構成である。
【図面の簡単な説明】
【００２１】
【図１】建物の間取り例を示す間取り図。
【図２】間仕切壁及びドアの詳細な構成を示す断面図。
【図３】間仕切壁の正面図。
【図４】巾木の取付構造を示す斜視図。
【図５】間仕切壁の各機能を示す構成図。
【図６】夏季と冬季における間仕切壁とドアとの制御状態を説明するための図。
【図７】通気制御の処理手順を示すフローチャート。
【発明を実施するための形態】
【００２２】
以下、本発明を具体化した一実施形態を図面に基づいて説明する。本実施形態では、建物の屋内空間において当初は１つであった所定の部屋を、後付けの間仕切壁により２つに分割する場合を例示して説明する。図１は、建物の間取り例を示す間取り図であり、（ａ）は間仕切壁を設置する前の間取りを、（ｂ）は間仕切壁を設置した後の間取りを示している。
【００２３】
図１（ａ）に示すように、建物１０は、居室１１と居室１２とを有しており、居室１１には窓１３，１４が設けられ、居室１２には窓１５が設けられている。居室１１，１２は、ドア開口１６，１７を介して廊下２０に通じている。ドア開口１６，１７にはそれぞれドア１８，１９が取り付けられている。廊下２０は、階段２１やトイレ２２に通じる空間となっている。トイレ２２において入口にはドア２３が設けられ、トイレ２２内には換気扇２４が設けられている。
【００２４】
建物１０には、屋内空間を空調するための空調装置（図１では略す）が設けられており、その空調装置からの空調空気を屋内空間に吹き出すための吹出口（給気口）として、居室１１には吹出口２５が設けられ、居室１２には吹出口２６が設けられている。
【００２５】
本実施形態の建物１０に設けられている空調装置は、建物の同一階の屋内空間について一括して空調を行うものであり、空調装置から供給される空調空気（冷房空気や暖房空気）が各吹出口２５，２６から各空間に給気として供給される。また、例えば廊下２０には、還気を取り込むための還気口が設けられており、その還気口を介して空調装置に還気が取り込まれる。空調装置では、還気として取り込んだ空気から給気を生成し、それを各部屋に供給する。
【００２６】
図１（ｂ）では、図１（ａ）の構成に対して、リフォーム（改築）により居室１１に間仕切壁３０が取り付けられており、この間仕切壁３０により居室１１が２つの部屋（以下、第１室３１、第２室３２という）に分割されている。この場合、第１室３１には、窓１３とドア開口１６とが設けられており、ドア開口１６を通じて第１室３１への出入りが可能となっている。また、第２室３２には、窓１４と、新たに設けられたドア開口２７とが設けられており、ドア開口２７を通じて第２室３２への出入りが可能となっている。ドア開口２７にはドア２８が設けられている。
【００２７】
上記のとおり居室１１が第１室３１と第２室３２とに分割された場合、第１室３１には空調用の吹出口２５が設けられているが、第２室３２には空調用の吹出口が設けられていないこととなる。そこで本実施形態では、間仕切壁３０を使って第１室３１から第２室３２への通気を積極的に行わせ、それにより第２室３２の空調を行うこととしている。特に本実施形態では、第１室３１及び第２室３２を仕切る間仕切壁３０と、第２室３２の出入口に設けられたドア２８に、それぞれ電気的に制御される通気機能を持たせ、空調装置による冷暖房の情報等に基づいて、間仕切壁３０及びドア２８を制御対象として通気制御を実施する。以下、間仕切壁３０及びドア２８における通気機能について詳しく説明する。
【００２８】
図２は、間仕切壁３０及びドア２８の詳細な構成を示す断面図である。まず間仕切壁３０について説明する。
【００２９】
図２において、間仕切壁３０は、対向配置される一対の壁パネル４１，４２を有し、その一対の壁パネル４１，４２の間に通気通路４３が形成されている。通気通路４３は上下方向に延びる壁内空間であり、この通気通路４３にて上向き又は下向きの気流が生じるものとなっている。各壁パネル４１，４２には、それぞれ天井面付近及び床面付近に複数の開口部が設けられている。すなわち、各壁パネル４１，４２のうち第１室３１側の壁パネル４１には、上開口部４４と下開口部４５とが設けられ、第２室３２側の壁パネル４２には、上開口部４６と下開口部４７とが設けられている。
【００３０】
開口部４４，４５の位置を図３で説明すると、第１室３１側の壁パネル４１には、天井面との境界部に沿って上開口部４４が横長に設けられ、床面との境界部に沿って下開口部４５が横長に設けられている。第２室３２側の壁パネル４２についても同様の構成である。なお、各開口部の幅や通気通路４３の幅は、通気のために流通させたい空気量に応じて定められればよい。図３の構成では、各開口部や通気通路４３が左右方向にてほぼ中央部に１カ所のみ設けられているが、これらが中央部以外に設けられている構成、間仕切壁３０の横幅全体に設けられている構成、複数箇所に設けられている構成、上開口部と下開口部との横幅や数が異なる構成等を採用することも可能である。
【００３１】
下開口部４５，４７について具体的には、図２に示すように、床面上に設けられた起立部５１と、その外側に対向配置される巾木５２とが設けられており、これら起立部５１と巾木５２との間に形成された隙間が下開口部４５，４７における空気通路となっている。また、巾木５２の取り付けについてより詳細には、図４に示すように、壁パネル４１，４２の下端部には、上方に延びるフックを有する係止具５３が取り付けられており、この係止具５３のフックに、巾木５２の裏面側上部に形成された被係止部５２ａが係止されることで、壁パネル４１，４２の下端部に巾木５２が取り付けられるようになっている。この場合、巾木５２は、係止具５３に係止された状態から上方に持ち上げることで容易に取り外しが可能となっている。
【００３２】
下開口部４５，４７においては、図示のとおり壁パネル４１，４２と起立部５１とが離れた状態となっているが、下開口部４５，４７以外の部位において壁パネル４１，４２の下端部が起立部５１に支持される構成であってもよい。この場合、起立部５１が、間仕切壁３０の下端部を支持する支持部材として機能する。なお、図示は略すが、間仕切壁３０の上端側にも、その上端部を支持する支持部材が別途設けられている。
【００３３】
また、間仕切壁３０には、２つの上開口部４４，４６のうちいずれか１つのみを通気通路４３に連通させるものであって、その連通を切り替える上側流路切替手段としての流路切替装置５５が設けられるとともに、２つの下開口部４５，４７のうちいずれか１つのみを通気通路４３に連通させるものであって、その連通を切り替える下側流路切替手段としての流路切替装置５６が設けられている。流路切替装置５５は、上端部が天井面に固定されたベース部５５ａと、その下端部に設けられた可動仕切板５５ｂとを有している。ベース部５５ａ及び可動仕切板５５ｂは、いずれも上開口部４４，４６の長手方向における幅寸法と同じ長さ（又はそれ以上の長さ）を有する長尺材よりなり、間仕切壁３０の厚さ方向においてベース部５５ａを挟んで両側に可動仕切板５５ｂがそれぞれスライド移動可能となっている。可動仕切板５５ｂがスライド移動することで、上開口部４４，４６のうち上開口部４４のみを通気通路４３に連通させる状態（図示の状態）と、上開口部４６のみを通気通路４３に連通させる状態とが切り替えられるようになっている。
【００３４】
また、流路切替装置５６は、下端部が床面に固定されたベース部５６ａと、その上端部に設けられた可動仕切板５６ｂとを有している。ベース部５６ａ及び可動仕切板５６ｂは、いずれも下開口部４５，４７の長手方向における幅寸法と同じ長さ（又はそれ以上の長さ）を有する長尺材よりなり、間仕切壁３０の厚さ方向においてベース部５６ａを挟んで両側に可動仕切板５６ｂがそれぞれスライド移動可能となっている。可動仕切板５６ｂがスライド移動することで、下開口部４５，４７のうち下開口部４５のみを通気通路４３に連通させる状態（図示の状態）と、下開口部４７のみを通気通路４３に連通させる状態とが切り替えられるようになっている。
【００３５】
かかる場合、流路切替装置５５，５６は、第１室３１側の上開口部４４と第２室３２側の下開口部４７とが通気通路４３を介して連通される「第１連通状態」と、第１室３１側の下開口部４５と第２室３２側の上開口部４６とが通気通路４３を介して連通される「第２連通状態」との２状態について、いずれかの状態となるよう通気経路を切り替えるものとなっている。また、流路切替装置５５，５６は、各壁パネル４１，４２の間にベース部５５ａ，５６ａが設けられるものであり、かかる構成によれば、一方の室から他方の室への光漏れを抑制できる効果や、二室間における遮音効果が期待できる。
【００３６】
通気通路４３内には、通気ファン６１が設けられている。通気ファン６１は、通気通路４３内に上向き及び下向きのいずれかの気流を生じさせるための気流発生手段である。通気ファン６１は、通気通路４３内において上向きの気流（上昇気流）を生じさせる状態と下向きの気流（下降気流）を生じさせる状態とを切り替えられるものとなっている。
【００３７】
また、間仕切壁３０は、通気通路４３内を通過する空気に対して加熱を行う加熱機能や、同空気に対して冷却を行う冷却機能、同空気に対して加湿を行う加湿機能を有しており、その具体的な構成を図５により説明する。図５には、上記の各機能を具体化するための各種アクチュエータと、そのアクチュエータに関する電気的な制御系統とが示されている。
【００３８】
図５において、通気通路４３内には、加熱手段としての加熱装置６２と、冷却手段としての冷却装置６３と、加湿手段としての加湿装置６４とが設けられている。加熱装置６２は、例えば熱線ヒータにより構成されている。冷却装置６３は、例えばペルチェ素子により構成されている。冷却装置６３には、冷却により生じたドレン水や廃熱を排出するための排出部が設けられている。冷却装置６３をペルチェ素子により構成することで、騒音の発生がなく、しかも温度の微調整が可能な冷却装置を実現できる。加湿装置６４は、例えばミスト発生部を有するものとなっている。加湿装置６４からミスト（霧）が噴出されると、その一部が気化し周囲温度を下げることになるため、この加湿装置６４は冷却手段としても機能する。その他、通気通路４３内には、同通路内の温度を検出する温度センサ６５と、同通路内の湿度を検出する湿度センサ６６とが設けられている。
【００３９】
また、図５に示す構成では、各壁パネル４１，４２の下開口部４５，４７に、空気清浄用のフィルタ６８が配設されている。このフィルタ６８は、壁パネル４１，４２と流路切替装置５６（ベース部５６ａ）との間の隙間を利用して設けられている。空気清浄手段としてプラズマ式又はイオン式の空気清浄機を用い、この空気清浄機を通気通路４３に設けることも可能である。
【００４０】
次に、第２室３２におけるドア２８の通気機能について説明する。図２において、ドア２８は、図示しない回動軸を中心に回動する回動式ドアである。ドア２８には上下２つの開口部７１，７２が設けられており、それら各開口部７１，７２には、それぞれ可動スラット７３，７４が設けられている。可動スラット７３，７４は、図示しない駆動部（モータ）により電気的に開閉駆動されるものであり、コントローラ８０からの制御信号に基づいて開閉いずれかの状態に制御される（図５参照）。なお、第２室３２の出入口を開閉する開閉体（建具）として、回動式ドア（開き戸）に代えて引き戸を用いることも可能である。
【００４１】
図５の説明に戻り、コントローラ８０は、ＣＰＵや各種メモリ等を有する周知の演算装置であり、コントローラ８０には、センサ６５，６６の検出信号や、建物内の各居室等に対して空調空気を供給する空調装置８１からの空調実施情報が逐次入力される。この場合、第１室３１に対して吹出口２５から冷房空気が吹き出されているのか暖房空気が吹き出されているのかといった、空調装置８１の運転状況に関する情報が、空調実施情報としてコントローラ８０に入力される。また、コントローラ８０には、ユーザ操作手段としての操作装置８２が接続されている。操作装置８２は、間仕切壁３０の動作状態を制御するための各種スイッチを備えており、ユーザが各種スイッチを操作することで、その操作信号がコントローラ８０に逐次入力される。
【００４２】
コントローラ８０は、各種の入力信号に基づいて、間仕切壁３０の各アクチュエータ（流路切替装置５５，５６、通気ファン６１、加熱装置６２、冷却装置６３、加湿装置６４）や、ドア２８の各アクチュエータ（可動スラット７３，７４）の駆動を制御し、間仕切壁３０及びドア２８を使っての通気制御を実施する。特に、コントローラ８０は、第１室３１に対して吹出口２５から空調空気が吹き出されている状態において、流路切替装置５５，５６により「第１連通状態」と「第２連通状態」とのいずれかの状態への切替を行わせる切替制御を実施するとともに、通気ファン６１により通気通路４３内での気流の向きの制御を実施し、さらにドア２８に設けられた可動スラット７３，７４の開閉制御を実施する。
【００４３】
間仕切壁３０とドア２８による通気制御に関して、夏季と冬季とでは制御内容が異なっており、その詳細を図６を用いて説明する。図６（ａ）は、夏季において吹出口２５から空調空気として冷房用空気が吹き出される場合を示し、（ｂ）は、冬季において吹出口２５から空調空気として暖房用空気が吹き出される場合を示している。
【００４４】
図６（ａ）では、第１室３１が冷房されている状態で、第１室３１側の上開口部４４と第２室３２側の下開口部４７とが通気通路４３を介して連通された状態、すなわち「第１連通状態」となっており、通気ファン６１は下降気流を生じさせるように駆動されている。また、第２室３２のドア２８において、可動スラット７３，７４の制御により、上側の開口部７１が開放、下側の開口部７２が閉鎖されている。
【００４５】
この場合、第１室３１内の天井付近の比較的暖かい空気が間仕切壁３０を介して第２室３２に送出される。これにより、第１室３１において冷房を効率良く実施できる。また、第２室３２では、第２室３２内の空気がドア２８の上側の開口部７１を介して廊下２０に順次排出されるため、第２室３２において暖気が溜まりにくくすることができる。かかる場合、第２室３２には第１室３１から空気が順次送られてくるため、第２室３２についての冷房も実施できる。
【００４６】
また、図６（ａ）の状態において、冷却装置６３により通気通路４３内が冷却されるとよい。この場合、通気通路４３内を空気が通過する際、その空気が冷却装置６３により冷却されるため、第１室３１側の上開口部４４から第２室３２側の下開口部４７に流れる空気が比較的暖かい空気であっても、それを冷却した上で第２室３２に空気を供給することができる。
【００４７】
他方、図６（ｂ）では、第１室３１が暖房されている状態で、第１室３１側の下開口部４５と第２室３２側の上開口部４６とが通気通路４３を介して連通された状態、すなわち「第２連通状態」となっており、通気ファン６１は上昇気流を生じさせるように駆動されている。また、第２室３２のドア２８において、可動スラット７３，７４の制御により、上側の開口部７１が閉鎖、下側の開口部７２が開放されている。
【００４８】
この場合、第１室３１内の床付近の比較的冷たい空気が間仕切壁３０を介して第２室３２に送出される。これにより、第１室３１において暖房を効率良く実施できる。また、第２室３２では、第２室３２内の空気がドア２８の下側の開口部７２を介して廊下２０に順次排出されるため、第２室３２において冷気が溜まりにくくすることができる。かかる場合、第２室３２には第１室３１から空気が順次送られてくるため、第２室３２についての暖房も実施できる。
【００４９】
また、図６（ｂ）の状態において、加熱装置６２により通気通路４３内が加熱されるとよい。この場合、通気通路４３内を空気が通過する際、その空気が加熱装置６２により加熱されるため、第１室３１側の下開口部４５から第２室３２側の上開口部４６に流れる空気が比較的冷たい空気であっても、それを加熱した上で第２室３２に空気を供給することができる。
【００５０】
次に、間仕切壁３０及びドア２８に関する制御内容を説明する。図７は、通気制御の処理手順を示すフローチャートであり、本処理はコントローラ８０により所定周期で繰り返し実行される。
【００５１】
図７において、ステップＳ１１では、今現在、吹出口２５から空調空気が吹き出されているか否かを判定する。そして、ＹＥＳの場合にステップＳ１２に進み、吹出中の空調空気が冷房用空気か暖房用空気かを判定する。冷房用空気である場合、ステップＳ２１に進み、暖房用空気である場合、ステップＳ３１に進む。
【００５２】
ステップＳ２１に進んだ場合、流路切替装置５５，５６を制御することで、通気通路４３の連通経路を第１連通状態（第１室３１側の上開口部４４と第２室３２側の下開口部４７とが連通された状態）とする。続くステップＳ２２では、通気ファン６１を制御することで、通気通路４３内に下降気流を発生させる。ステップＳ２３では、冷却装置６３をオンして通気通路４３内を冷却する。また、同ステップＳ２３では、加湿装置６４を適宜オンしてミストを発生させる。その後、ステップＳ２４では、ドア２８の可動スラット７３，７４を制御することで、上側の開口部７１を開放、下側の開口部７２を閉鎖させる。
【００５３】
また、ステップＳ３１に進んだ場合、流路切替装置５５，５６を制御することで、通気通路４３の連通経路を第２連通状態（第１室３１側の下開口部４５と第２室３２側の上開口部４６とが連通された状態）とする。続くステップＳ３２では、通気ファン６１を制御することで、通気通路４３内に上昇気流を発生させる。ステップＳ３３では、加熱装置６２をオンして通気通路４３内を加熱する。また、同ステップＳ３３では、加湿装置６４を適宜オンしてミストを発生させる。その後、ステップＳ３４では、ドア２８の可動スラット７３，７４を制御することで、上側の開口部７１を閉鎖、下側の開口部７２を開放させる。
【００５４】
なお、通気ファン６１や加熱装置６２、冷却装置６３、加湿装置６４の制御に際し、温度センサ６５や湿度センサ６６の検出値に基づくフィードバック制御を実施するとよい。この場合、通気通路４３内の温度や湿度の目標値を、空調装置８１の運転状況（冷暖房、空調強さ等の情報）や外気温に基づいて設定するとともに、それら目標値に対する検出値の偏差を算出し、その偏差を解消するようにしてフィードバック制御を実施するとよい。
【００５５】
以上詳述した本実施形態によれば、以下の優れた効果が得られる。
【００５６】
間仕切壁３０において、第１室３１側の上開口部４４と第２室３２側の下開口部４７とが通気通路４３を介して連通される「第１連通状態」と、第１室３１側の下開口部４５と第２室３２側の上開口部４６とが通気通路４３を介して連通される「第２連通状態」との２状態についてそれら両状態の切替が行われる構成とした。これにより、間仕切壁３０を通じて第１室３１と第２室３２との両室間の通気が可能となる。また、一方の室で天井付近に暖気が溜まっている場合には、その暖気を他方の室の床付近に送り出すことが可能となり、一方の室で床付近に冷気が溜まっている場合には、その冷気を他方の室の天井付近に送り出すことが可能となる。その結果、間仕切壁３０を挟んで隣接する二室について、相互間における空気の流通により室内環境の好適化を図ることができる。
【００５７】
間仕切壁３０に通気ファン６１を設け、通気通路４３内において上昇気流を生じさせる状態と下降気流を生じさせる状態とを切替可能としたため、通気通路４３を通過させる空気が冷気（重い空気）か暖気（軽い空気）かにかかわらず、第１室３１と第２室３２の両室間での通気を任意に実施することができる。
【００５８】
各室３１，３２のうち第１室３１だけで空調空気が吹き出されている状態において、間仕切壁３０で空気流路の切替（第１連通状態と第２連通状態との切替）や壁内気流方向の切替を実施するとともに、ドア２８の上下の各開口部７１，７２の開閉状態を制御する構成とした。これにより、第２室３２（空調空気の吹出が行われていない室）では、間仕切壁３０を介して積極的に第１室３１（空調空気が吹き出されている室）から空気が導入されるとともに、ドア２８の開口部７１，７２を介して室内空気が室外に排出されることになり、第１室→間仕切壁→第２室→ドア開口部といった順序での空気の流れにより第２室３２での通気を好適に実施できる。
【００５９】
第１室３１において吹出口２５から冷房用空気が吹き出されている場合に、第１室３１側の上開口部４４から第２室３２側の下開口部４７への気流が発生するように切替制御と気流制御とを実施し、さらにドア２８の上側の開口部７１を開放、下側の開口部７２を閉鎖させるようにした。これにより、夏場等における第１室３１の冷房時において、第１室３１において冷房を効率良く実施できる。また、第２室３２では、暖気が溜まりにくくなり、さらに間仕切壁３０から供給される空気による冷房も可能となる。
【００６０】
また、通気通路４３内を空気が通過する際、その空気を冷却装置６３により冷却する構成としたため、第１室３１の冷房時において、第１室３１側の上開口部４４から第２室３２側の下開口部４７に流れる空気が比較的暖かい空気であっても、それを冷却した上で第２室３２に供給することができる。これは、第１室３１に加えて第２室３２を冷房する場合に有利な構成である。
【００６１】
第１室３１において吹出口２５から暖房用空気が吹き出されている場合に、第１室３１側の下開口部４５から第２室３２側の上開口部４６への気流が発生するように切替制御と気流制御とを実施し、さらにドア２８の上側の開口部７１を閉鎖、下側の開口部７２を開放させるようにした。これにより、冬場等における第１室３１の暖房時において、第１室３１において暖房を効率良く実施できる。また、第２室３２では、冷気が溜まりにくくなり、さらに間仕切壁３０から供給される空気による暖房も可能となる。
【００６２】
また、通気通路４３内を空気が通過する際、その空気を加熱装置６２により加熱する構成としたため、第１室３１の暖房時において、第１室３１側の下開口部４５から第２室３２側の上開口部４６に流れる空気が比較的冷たい空気であっても、それを加熱した上で第２室３２に供給することができる。これは、第１室３１に加えて第２室３２を暖房する場合に有利な構成である。
【００６３】
リフォームにより間仕切壁３０が設けられ、それにより第１室３１と第２室３２とが分割される建物では、それら両室３１，３２において一方にのみ吹出口が設けられていない構成があり得るが、こうした場合にも、吹出口を増やすことなく、両室３１，３２の空調を実現できる。
【００６４】
間仕切壁３０には、加湿装置６４が設けられているため、第２室３２の加湿も実施できる。
【００６５】
間仕切壁３０において下開口部４５，４７に空気清浄用のフィルタ６８を配設したため、間仕切壁３０を通過する空気の清浄化を実施できる。この場合、巾木５２が取り外し可能になっている構成からすれば、フィルタ６８のメンテナンスを容易に実施できる。なお、巾木５２が取り外せれば、その内側の起立部５１はビス抜き等により容易に取り外すことができる。
【００６６】
［他の実施形態］
本発明は上記実施形態の記載内容に限定されず、例えば次のように実施されてもよい。
【００６７】
・上記実施形態では、第１室３１と第２室３２とにおいて一方にのみ空調用の吹出口（吹出口２５）が設けられている構成としたが、これを変更し、両方に吹出口が設けられている構成であってもよい。かかる構成では、両室３１，３２の吹出口から共に空調空気の吹出が可能になるが、第１室３１の吹出口からのみ空調空気が吹き出されている場合に、上記のとおり間仕切壁３０とドア２８とを用いた通気制御を実施するとよい。
【００６８】
また、第１室３１のドア１８にも、ドア２８と同様に上下の開口部や可変スラットを設けておけば、第１室３１と第２室３２とを逆にした制御を実施することが可能となる。かかる場合、間仕切壁３０を介して第２室３２から第１室３１への通気が行われることとなり、上記同様、間仕切壁３０やドアによる通気制御が実施される。
【００６９】
・間仕切壁３０を第１連通状態及び第２連通状態のいずれかとした場合において、通気ファン６１を駆動させず、屋内の自然対流により間仕切壁３０を通じた両室間の通気を実施する構成であってもよい。
【００７０】
・間仕切壁３０の壁パネル４１，４２に、メンテナンス用の開口部（点検口）と、その開口部を開閉する扉体とを設けておいてもよい。この場合、間仕切壁３０の内部に設置された通気ファン６１等の各種アクチュエータのメンテナンスを容易に実施できる。また、加湿装置６４の水補給も容易に実施できる。
【００７１】
・居室を間仕切壁３０により二室（第１室３１、第２室３２）に仕切る前の状態において、間仕切壁３０が設置されると事前に想定される場所に、電源口を設けておく構成としてもよい。また、その想定場所に、間仕切壁３０を固定するための固定部材を先行して配置しておき、その固定部材に電源口を設けておいてもよい。例えば、天井に電源口を設けておく構成なら、その電源口に照明装置を付けて利用するとよい。間仕切壁３０の設置後は、電源口を間仕切壁３０の電源口として利用できる。本構成では、間仕切壁３０を事後的に設置する場合における電源の設置作業を簡易化できる。
【００７２】
・間仕切壁３０において、第１室３１と第２室３２とが常に何らかの通気経路により連通される状態ではなく、第１室３１と第２室３２とが完全に遮断される状態に移行できるようにしてもよい。例えば、流路切替装置５５，５６が、第１室３１側及び第２室３２側のいずれか一方を開放、他方を閉鎖するだけの構成ではなく、第１室３１側及び第２室３２側の両方を同時に閉鎖できる構成とする。
【００７３】
・第１室３１及び第２室３２に人感センサを設けておき、人感センサにより検出される人の有無に基づいて、間仕切壁３０やドア２８による通気制御を実施する構成としてもよい。例えば、第１室３１及び第２室３２のうち少なくともいずれかに人がいることを条件に、上記の通気制御を実施する。
【符号の説明】
【００７４】
１０…建物、２５…吹出口、２８…ドア（建具）、３０…間仕切壁、３１…第１室、３２…第２室、４１，４２…壁パネル、４３…通気通路（壁内通路）、４４，４６…上開口部（天井側開口部）、４５，４７…下開口部（床側開口部）、５５，５６…流路切替装置（通気経路切替手段）、６１…通気ファン（気流発生手段）、６２…加熱装置（加熱手段）、６３…冷却装置（冷却手段）、７１，７２…開口部（通気開口）、７３，７４…可動スラット（通気開閉手段）、８０…コントローラ（第１制御手段、第２制御手段）。
【図１】
2012144881.tif 000003
【図２】
2012144881.tif 000004
【図３】
2012144881.tif 000005
【図４】
2012144881.tif 000006
【図５】
2012144881.tif 000007
【図６】
2012144881.tif 000008
【図７】
2012144881.tif 000009